(57)【要約】【課題】  中間転写リボンの両端からの剥離粉（ゴミ）の発生を防止し、印刷品質が向上する通帳類作成装置を提供することを目的とする。【解決手段】  インクリボン６１の幅及び中間転写リボン７２の幅は、サーマルヘッド６４をプラテンローラ６５に押圧した際サーマルヘッド６４のエッジ部分に引っかかり破断や剥離粉が発生するのを防止するため、サーマルヘッド６４の幅より狭くする。本実施例では、これらリボンの幅を同じにし、かつ、サーマルヘッド６４の幅より狭くする。次に、プラテンローラ６５の幅は、実際に印刷する印刷幅よりは広くし、かつ、サーマルヘッド６４の両端の圧力がインクリボン６１及び中間転写リボン７２の両端にかからないようにプラテンローラ６５のローラ角部に面取り加工を施す。以上の構成により、印刷時に中間転写リボン７２の剥がれやすい部分にサーマルヘッド６４の圧力がかかることがないため、ゴミの発生を抑えることができる。【選択図】  図１
2007076054.tif 000002
【特許請求の範囲】
【請求項１】
溶融インクリボンをサーマルヘッドによって押圧することにより熱溶融印刷を行って生成した中間転写リボンを用いて、通帳類に印刷する通帳類作成装置であって、
前記溶融インクリボンの幅と同等の幅を有する前記中間転写リボンをプラテンローラに外接して一定の速度で送るリボン駆動手段と、
前記溶融インクリボンの幅と同等の幅を有する前記中間転写リボンと、
前記溶融インクリボン及び中間転写リボンより広い幅を有する前記サーマルヘッドと、
このサーマルヘッドの印字幅より広い幅を有し、かつ、サーマルヘッドの圧力が中間転写リボンの両端部にかかる部分を切り欠いた前記プラテンローラと、
を備えたことを特徴とする通帳類作成装置。
【請求項２】
前記プラテンローラの切り欠き部分は、
当該プラテンローラに、前記サーマルヘッドによる印刷範囲幅を超える部分に面取り加工を施したものであることを特徴とする請求項１記載の通帳類作成装置。
【請求項３】
前記プラテンローラの切り欠き部分は、
当該プラテンローラに、前記サーマルヘッドによる印刷範囲幅を超える部分を当該プラテンローラの軸に垂直にカットしたものであることを特徴とする請求項１記載の通帳類作成装置。
【請求項４】
前記リボン駆動手段は、
前記プラテンローラの下流直近に配置され、前記中間転写リボンを駆動するリボン駆動ローラと、
前記中間転写リボンが前記リボン駆動ローラに対して９０°〜１３０°の巻き付き角になるように前記中間転写リボンに張力を与えるバネ機構を有するテンションローラと、
このテンションローラによって張力を与えられた前記中間転写リボンを一定の速度で送るために前記リボン駆動ローラを駆動する駆動ローラ駆動手段と、
を備えたことを特徴とする請求項１記載の通帳類作成装置。
【発明の詳細な説明】
【技術分野】
【０００１】
本発明は、通帳類に中間転写リボンを用いて印刷する通帳類作成装置に関し、特に、中間転写リボンからのゴミの発生を防止する通帳類作成装置に関する。
【背景技術】
【０００２】
従来、セキュリティの高い通帳類に中間転写リボンを用いて印刷する通帳類作成装置が知られている。この通帳類作成装置は、通帳取込部から１冊ずつ通帳類を取り込んで搬送し、中間転写印刷部で当該通帳類を所持する個人を特定するＩＤ情報などを溶融インクリボンによって中間転写リボンの受像兼接着層に印刷する。この印刷された中間転写リボンを用いて通帳を開いた所定箇所にセキュリティ情報を印刷する装置である。
【０００３】
以下、図９に示す従来例による剥離粉の発生を説明する図を参照しながら説明する。
【０００４】
上記溶融インクリボン（以下、インクリボンと称する。）によって、中間転写リボンに印刷するために、プラテンローラとサーマルヘッドの間にプラテンローラ側から中間転写リボン及びインクリボンを重ねて配置する。さらに、インクリボン側からプラテンローラ側にサーマルヘッドを押圧することにより、インクリボン及び中間転写リボンをプラテンローラに押圧する。
【０００５】
中間転写リボンは、プラテンローラの上流側に配置された中間転写リボンの送り出し機構とプラテンローラの下流側に配置された中間転写リボン駆動ローラ、テンションローラ、及び中間転写リボン巻き取り機構による引っ張り力によって所定のテンションが掛けられた状態で配置されている。
【０００６】
上記サーマルヘッドは、インクリボン及び中間転写リボンをプラテンローラに押圧した状態でインクリボン側から熱転写により情報を中間転写リボンに印刷する。この印刷は、1行印字と1行送りを繰り返して設定された情報の印刷を行うもので、このプラテンローラの回転に同期してサーマルヘッドによる中間転写リボンに対する印刷が終了する。
【０００７】
以上のようなプラテンローラに求められる性能として、高精細な印刷を可能にするために、プラテンローラの表面硬度や表面の平滑度を安定して確保することが求められる。さらに、プラテンローラ材質の自由度に関わらず印刷の安定性を確保するために、中間転写リボンをプラテンローラで駆動するのではなく、別途中間転写リボン駆動ローラを用いる技術が知られている（例えば、特許文献１参照）。
【０００８】
上記中間転写リボンの基本構成は、ベース層の上に剥離層が塗布されて形成されおり、この剥離層の上に受像兼接着層が塗布されて形成されている。また、この基本構成を応用した中間転写リボンには、剥離層と受像兼接着層の間にホログラム層や保護層を形成したものも知られている。このように何層かの層構成からなる中間転写リボンは、通帳類作成装置（以下、本装置と称する。）で使用している幅よりも広い幅のリボン原反から使用するリボン幅にスリットして製造する。
【特許文献１】特開２００４−２４０８８２号公報  （第１−２頁、図３、図６）
【発明の開示】
【発明が解決しようとする課題】
【０００９】
上記スリットに際しては、刃の当て方や交換頻度など調整管理することで最適化が図られるが、刃によっては、スリットされる中間転写リボンの両端がダメージを受け、層が剥離しかかっている状態が発生する場合がある。また、スリットの際に発生する中間転写リボンの剥離粉などが中間転写リボンの両端に付着することがある（図９参照）。
【００１０】
このようにして作成された中間転写リボンにインクリボンを用いてサーマルヘッドで熱転写を行うと、サーマルヘッドの圧力が中間転写リボンに加わり、中間転写リボンの両端のダメージを受けた部分から層が剥離した剥離粉が本装置内部に飛散することがある。
【００１１】
この飛散した剥離粉がサーマルヘッドの下に巻き込まれると、インクリボンに熱が十分伝わらず、印刷不良となるだけでなく、剥離粉が巻き込まれた部分のみ圧力が大きくなるため、中間転写リボンに不要な転写をしてしまうという不具合を発生していた。
【００１２】
本発明は、上記問題を解決するためになされたもので、中間転写リボンの両端からの剥離粉（ゴミ）の発生を防止し、印刷品質が向上する通帳類作成装置を提供する。
【課題を解決するための手段】
【００１３】
上記目的を達成するために、本発明の請求項１記載の通帳類作成装置は、溶融インクリボンをサーマルヘッドによって押圧することにより熱溶融印刷を行って生成した中間転写リボンを用いて、通帳類に印刷する通帳類作成装置であって、前記溶融インクリボンの幅と同等の幅を有する前記中間転写リボンをプラテンローラに外接して一定の速度で送るリボン駆動手段と、前記溶融インクリボンの幅と同等の幅を有する前記中間転写リボンと、前記溶融インクリボン及び中間転写リボンより広い幅を有する前記サーマルヘッドと、このサーマルヘッドの印字幅より広い幅を有し、かつ、サーマルヘッドの圧力が中間転写リボンの両端部にかかる部分を切り欠いた前記プラテンローラと、を備えたことを特徴とする。
【発明の効果】
【００１４】
本発明によれば、中間転写リボンの両端からの剥離粉（ゴミ）の発生が防止できるので、印刷品質が向上する通帳類作成装置にすることができる。
【発明を実施するための最良の形態】
【００１５】
以下、図面を参照して本発明の実施例を説明する。
【実施例】
【００１６】
図１は、本発明の実施例による中間転写リボンを用いて印刷する通帳類作成装置１の概略図である。この通帳類作成装置１には、複数冊の通帳類Ｐをまとめてセットできる通帳取込部２、通帳類Ｐを開いた中紙ページに印刷された通帳固有のシリアル番号を認識するＯＣＲ読取部３、ページめくり部４、溶融インクリボン５１から直接色材を通帳類表面に転写する直接印刷部５、及び中間転写リボン７２表面に画像を形成した後にその画像を再度通帳類Ｐ表面に転写する中間転写印刷部６が備えられ、搬送方向上流から下流に向かって配置される。さらに、この中間転写印刷部６で印刷された印刷状態を確認するＯＣＲ読取部８、開いた通帳類Ｐを折りたたむ折りたたみ部９、通帳類Ｐに装備されている非接触ＩＣのデータを読み書きする非接触ＩＣリーダライタ（以下、非接触ＩＣＲ／Ｗと称する。）部１０、通帳類Ｐを集積する通帳集積部１１が備えられ、搬送方向上流から搬送方向下流に向かって配置される。
【００１７】
なお、装置の並び順はこれ以外でもかまわないが、ＯＣＲ読取部３とページめくり部４は中間転写印刷部６より上流に配置されること、また、ＯＣＲ読取部８と非接触ＩＣＲ／Ｗ部１０は中間転写印刷部６より下流に配置されること、さらに、非接触ＩＣＲ／Ｗ１０はＯＣＲ読取部８より下流に配置される必要がある。
【００１８】
以下、上記各部の詳細な構成及び動作を説明する。その後、通帳類作成装置部１を構成する各ユニット動作の詳細を説明する。  
通帳取込部２は、複数の通帳類Ｐを重ねたまま一括して供給する供給台２１、供給された通帳を搬送路に送り出すピッカ（図示しない）などで構成され、通帳搬送・制御部（後述する）の指示に基づき、最も下側の１冊のみがピッカで押し出されると、ＯＣＲ読取部３によって取り込まれる。
【００１９】
ＯＣＲ読取部３には、被写体（通帳類）を照明する照明部（図示しない）、及びＣＣＤなどのセンサ部（図示しない）を有する読取光学系３１が設けられており、さらに、この読取光学系３１で読み取られた読取画像を認識する光学文字認識部（後述する）が設けられており、被写体に印刷されている文字を照明し、その反射画像をセンサ部で読み取り、読み取った読取画像の文字認識を行う。本実施例では、ＯＣＲ読取部３に取り込まれた通帳類Ｐは、さらに搬送されて、搬送方向下流に隣接して配置されたページめくり部４でページめくりが行われ、所定のページが開かれる。ＯＣＲ読取部３は、このようして開かれたページに初めから印刷されている当該通帳類Ｐ固有のシリアル番号を読み取り認識する。
【００２０】
ページめくり部４は、めくりローラ４１、バックアッププレート４２、及びめくりローラとバックアッププレートを接続するアーム４３、などで構成される。通帳搬送・制御部（後述する）は、通帳類Ｐを、このバックアッププレート４２の上の所定の位置まで搬送し、めくりローラ４１及びバックアッププレート４２を破線で示すめくりローラ４１Ａの位置まで揺動しながら通帳類Ｐのページをめくる部分である。このように、通帳取込部２から取り込まれた通帳類Ｐの上側表紙をめくる機能、及び内側の中紙をめくる機能を有する。また、めくったページの認識は、通帳類Ｐに当初より印刷されているバーマークをバーマークリーダ（図示しない）で読み取り、認識する。
【００２１】
直接印刷部５は、インクリボン５１が組み込まれたインクリボン送り出し機構５２、このインクリボン送り出し機構５２から送られたインクリボン５３を巻き取るインクリボン巻き取り機構５３、この溶融インクリボン５１を用いて熱転写印刷を行うサーマルヘッド５４、このサーマルヘッド５４の搬送方向の対抗する位置に配置されたプラテンローラ５５などで構成される。通帳類Ｐに印刷する場合は、印刷する通帳類Ｐの印刷ページ表面上に、溶融インクリボン５１、サーマルヘッド５４の順に押し当てて、サーマルヘッ５４を構成する発熱体が選択的に発熱することで画像や文字を印刷する。
【００２２】
本実施例の通帳類作成装置１では、中間転写印刷部６で印刷される情報に比べて、セキュリティ度合いが低い情報を印刷する。全ての通帳類に直接印刷部５で印刷するわけではなく、また印刷するページは、中間転写印刷部６で印刷するページとは異なる。このため、直接印刷部５の印刷が発生した場合は、まずページめくり部４で印刷するページをめくり出し、直接印刷部５で直接印刷を行った後に、中間転写印刷を行うページをめくり出すために、再度ページめくり部４に搬送する。なお、直接印刷部５で印刷される情報がない場合は、通帳類Ｐは直接印刷部５を通過する。
【００２３】
中間転写印刷部６は、溶融インクリボン（以下、インクリボンと称する。）６１によって情報を中間転写リボン７２印刷する情報印刷部（印刷部）、及び中間転写リボン７２に印刷された情報をヒートローラ７９によって通帳類Ｐに転写するオーバーコート転写部（転写部）から構成される。
【００２４】
印刷部は、直接印刷部５と同様、インクリボン６１が組み込まれたインクリボン送り出し機構６２、このインクリボン送り出し機構６２から送られたインクリボン６１を巻き取るインクリボン巻き取り機構６３、このインクリボン６１を用いて熱転写印刷を行うサーマルヘッド６４、及びこのサーマルヘッド６４の搬送方向の対抗する位置に配置されたプラテンローラ６５などで構成される。このように構成された印刷部は、中間転写リボン７２の受像兼接着層（後述する）表面に各種情報を印刷する。
【００２５】
転写部は、中間転写リボン７２が組み込まれたリボン送り出し機構７０、このリボン送り出し機構７０から送り出された中間転写リボン７２を上記プラテンローラ６５に外接して適度な駆動力で駆動する中間転写リボン駆動部７５、中間転写リボン７２の受像兼接着層表面に印刷された情報を熱転写するヒートローラ部７８、リボン巻き取り機構部７１などで構成される。
【００２６】
ＯＣＲ読取装置８は、ＯＣＲ読取部３と同様に構成されているため、その構成の説明は省略する。なお、このＯＣＲ読取装置８は、通帳類に元から印刷されている通帳類シリアル番号（詳細は、後述する。）、及び上記中間転写印刷部６で印刷された固有印刷情報（詳細は、後述する。）を読み取り認識する。
【００２７】
折りたたみ部９は、開かれた状態で搬送されている通帳類Ｐを挟持して搬送する搬送ローラ９１、及び回動可能に搬送路に軸支された折りたたみレバー９２などで構成される。そして、後述する通帳搬送・制御部は、通帳類Ｐを搬送ローラ９１によって所定の位置まで搬送すると、折りたたみレバー９２を左側（反時計方向）に回動して、開かれた状態の通帳類Ｐを折りたたみ、閉じた状態にする。
【００２８】
非接触ＩＣＲ／Ｗ部１０は、通帳類Ｐに内蔵された非接触ＩＣ（無線ＩＣ）と通信するためのアンテナ（図示しない）、及び無線通信制御部（図示しない）などを有する非接触ＩＣＲ／Ｗユニット（後述する）で構成され、非接触ＩＣ読取／書込部からの指示に基づいて当該通帳類Ｐに内蔵された非接触ＩＣ（図示しない）の読み取り、書込みを行う。
【００２９】
通帳集積部１１は、作成された通帳類Ｐを集積する部分で正常通帳を集積する正常通帳集積部１２０、不良通帳を集積する不良通帳集積部１３０、及び正常通帳集積部１２０又は不良通帳集積部１３０の何れかに切り換える排出ゲート１１１などから構成される。正常通帳集積部１２０及び不良通帳集積部１３０には、搬送されてくる通帳類Ｐを集積するためのトレー１２１、１３１が備えられている。
【００３０】
次に、図２を参照しながら本実施例で使用される中間転写リボン７２の構成を説明する。  
図２（Ａ）は、３層構造の中間転写リボンで、ベース層７２Ａ、剥離層７２Ｂ、及び受像兼接着層７２Ｅで構成されている。
【００３１】
図２（Ｂ）は、図２（Ａ）に示す中間転写リボンにホログラム層７２Ｄを設けた４層構造の中間転写リボンで、ベース層７２Ａ、剥離層７２Ｂ、ホログラム層７２Ｄ、及び受像兼接着層７２Ｅで構成されている。
【００３２】
図２（Ｃ）は、図２（Ｂ）に示す中間転写リボンに保護層７２Ｃを設けた５層構造の中間転写リボンで、ベース層７２Ａ、剥離層７２Ｂ、保護層７２Ｃ、ホログラム層７２Ｄ、及び受像兼接着層７２Ｅで構成されている。
【００３３】
以上の構成から明らかなように、中間転写リボン７２の基本的な構成は、基材（ベース層７２Ａ）としてのＰＥＴフィルム表面に剥離層７２Ｂとしてのフェノキシ系樹脂、透明樹脂によるホログラム形成層と金属化合物の蒸着層による透明なホログラム層７２Ｄ、受像層兼接着層７２Ｅとしてのポリエステル系樹脂を積層したものである。
【００３４】
中間転写リボン７２には、この他、紫外線によって発光する蛍光発色層などの機能層を設けて、転写対象への転写と同時にこれらの機能層も転写することが可能である。
【００３５】
次に、図３に示す通帳類作成装置１の制御ブロック図を参照して、通帳類作成装置１の制御を説明する。通帳類作成装置１は、データ入力制御部２００及び印刷装置部３００から構成される。
【００３６】
データ入力制御部２００は、印刷装置部３００で印刷するデータを生成する部分で、操作員が操作する操作パネル２０１、及び通帳類保持者の顔画像を撮像する画像入力部２０２などが設けられている。
【００３７】
印刷装置部３００は、データ入力部２００から送信されてきた印刷データ及び顔画像を図1で説明した各種機構部、及びこれら各種機構部を制御する印刷装置制御部などが備えられている。
【００３８】
印刷装置部３００には、装置全体を制御する印刷装置制御部３１０が設けられている。この印刷装置制御部３１０は、ＣＰＵ、ＲＡＭ、ＲＯＭなどを備え、直接印刷画像処理部５５、中間転写画像処理部６６、ヒータ温度制御部７８Ｂ、通帳搬送・制御部２０、画像形成・制御部７９、光学式文字認識部３５、非接触ＩＣ読取／書込部１０Ａなどとバス３１１を介して接続され、これらの各装置を制御して、上記データ入力部２００から送信されてきた印刷データ及び顔画像を印刷する。
【００３９】
直接印刷画像処理部５５は、直接印刷部５を制御して通帳類Ｐに直接印刷を行う（詳細は後述する）。
【００４０】
中間転写画像処理部６６は、中間転写印刷部６を制御して通帳類Ｐに中間転写印刷を行う。
【００４１】
ヒータ温度制御部７８Ｂは、ヒートローラ７８に内蔵されているヒータ７８Ａの温度を、設定した温度に保つように温度制御を行う。
【００４２】
通帳搬送・制御部２０は、通帳搬送機構、通帳取込機構、ページ検知、ページめくり機構、折りたたみ機構、及び排出ゲート機構を制御し、通帳類Ｐが通帳取込部２で取り込まれてから通帳集積部１１に集積されるまでの搬送制御を行う。
【００４３】
画像形成・制御部７９は、中間転写印刷部６の中間転写リボ７２ン、サーマルヘッド６４、ヒートローラ７８を制御して画像を形成する。
【００４４】
光学式文字認識部３５は、ＯＣＲ読取部３及びＯＣＲ読取部８に内蔵されている読取光学系３１、８１で読み取った読取画像の文字認識を行う。
【００４５】
非接触ＩＣ読取／書込み部１０Ａは、非接触ＩＣＲ／Ｗユニット１０Ｂと通信を行い、通帳類Ｐに内蔵されている非接触ＩＣの読取／書込を行う。
【００４６】
次に、上記図１〜図３も参照しながら、図４に示す中間転写印刷部の詳細断面図を参照して中間転写印刷部６の動作を説明する。この中間転写印刷部６は、上述したように、機能的には印刷部と転写部に分けることが出来るため、以下、これら印刷部及び転写部の動作説明を行う。
【００４７】
印刷部では、サーマルヘッド６４とプラテンローラ６５にはさまれて配置された中間転写リボン７２、及び溶融インクリボン（以下、インクリボンと称する。）６１によって、中間転写リボン７２の受像兼接着層７２Ｅ表面（図２参照）に情報等を印刷する熱溶融転写印刷方式が用いられる。この熱溶融転写印刷方式の特徴として、画像耐久性が高いこと、インク材料に機能性材料を適用することが比較的容易なこと（例えば蛍光顔料、アルミ蒸着薄膜）などがあり、偽造防止を目的とする印刷物に適している。
【００４８】
中間転写リボン７２を駆動する駆動力は、一般的にプラテンローラ６５に駆動機構を設けることが多いが、本実施例では、硬度と平滑性が必要であることから、中間転写リボン７２とプラテンローラの摩擦係数を上げることが好ましくなく、また安定しない。このため、中間転写リボンを一定の速度で送るリボン駆動手段が設けられている。このリボン駆動手段には、リボン駆動ローラ７３、テンションローラ７４、及び駆動ローラ駆動手段７５が設けられている。
【００４９】
リボン駆動ローラ７３は、プラテンローラの下流（ヒートローラ７９側）直近に配置され、中間転写リボンがリボン駆動ローラ７３のローラ表面に接触するときの接触抵抗により当該中間転写リボンを駆動する。このリボン駆動ローラ７３は硬度30〜60度のゴムローラを用い、中間転写リボン７２はリボン駆動ローラ７３に対して出来るだけ巻付き角θが大きいほうが良い。実施例では90°〜130°の巻き付き角θをえられるようにテンションローラ７４を配置する。
【００５０】
テンションローラ７４には、バネ機構７７が設けられ、限られた可動範囲内で中間転写リボン７２にテンションを与えて、リボン駆動ローラ７３と中間転写リボン７２が常に適切に接触する状態を作り出す。
【００５１】
駆動ローラ駆動手段７５は、5相ステッピングモータ７６、タイミングベルト７５Ａ、７５Ｂ、及びプーリ７５Ｃによる減速機構の組み合わせにより構成され、リボン駆動ローラ７３を一定の速度で正確に駆動する。この結果、リボン駆動ローラ７３に巻き付けられた中間転写リボン７２は一定の速度で正確に送られる。
【００５２】
また、サーマルヘッド６４はニアエッジ、またはコーナエッジタイプのヘッドを用い、熱時剥離による印刷を行うことが望ましい。
【００５３】
次に、印刷部の動作を下記（１）、（２）の順に説明する。  
（１）中間転写リボンのホログラムパターン位置と印刷位置を制御するため、送り出し側リール７０から繰り出された中間転写リボン７２のホログラム位置を示すマークをセンサＳＣＶ１によって検知する。マーク検知結果を用いて中間転写リボンを印刷開始の位置に制御する。
【００５４】
（２）所定の位置に固有印刷情報等を印刷する。印刷される情報はY、M、Cの三原色に加えて黒の4色重ねあわせによるカラー印刷である。これら複数色の重ね合わせ印刷は、中間転写リボンがサーマルヘッド部を色数と同じ回数往復することで、重ね合わせ印刷が行われる。また、印刷される情報は、反転画像であるという特徴がある。なお、印刷色は上記4色に加えて、蛍光顔料を含んだインクなど機能性インクを付与してもよい。
【００５５】
図５に示す転写部動作説明図を参照して転写部の動作を説明する。  
転写部では、印刷部で印刷情報が付与された中間転写リボン印刷面（接着層面）と通帳類Ｐの対象ページを重ね合わせて、金属性の材質で構成されたヒートローラ７９による加圧・加熱を行い、印刷情報と受像兼接着層７２Ｅ、ホログラム層７２Ｄの転写を同時に行う。
【００５６】
ヒートローラ７９は、DCサーボモータもしくはステッピングモータにより正確に一定速度で駆動可能になっており、回転自由なバックアップローラ７８との間にはコイルバネ７８Ａで発生された圧力がかかるようになっている。
【００５７】
次に、転写部動作を下記（１）〜（４）の順に説明する。  
（１）中間転写リボン７２の該当転写エリアへの印刷完了後、中間転写リボン７２は順方向（ヒートローラ７９の方向）に巻き取られ、経路途中の転写部マーク検知センサＳＣＶ２によって転写リボンの位置が把握される。この結果によって、転写開始位置まで転写リボンが送られる（図５（Ａ）参照）。
【００５８】
（２）一方通帳類Ｐは、転写されるページが前段のページめくり部４によって開かれた状態で取り込まれて、ヒートローラ７９に対して決められた位置に通帳類が搬送される。転写されるページは、表紙見返しページでも、他の中紙ページでもかまわない（図５（Ｂ）参照）。
【００５９】
（３）互いに位置決めが行われた中間転写リボン７２と通帳類Ｐの該当ベージは、円周の一部が切り欠かれた形状のヒートローラ７９の回転と共に合わされ、搬送と同時に加圧・加熱される。その後、通帳類Ｐに対してθ（＝６０°〜１１０°）の角度をもって中間転写リボン７２のベース層７２Ａが引き上げられて、印刷情報と受像兼接着層７２Ｅ、ホログラム層７２Ｄの転写が完了する。（図５（Ｃ）、図６参照）。
【００６０】
（４）転写が完了した通帳類Ｐは、ページが開かれた状態のまま次の機構部に搬送される（図４（Ｄ）参照。
【００６１】
図７は、通帳類Ｐの印刷状態を示す図である。この図を参照して、ＯＣＲ読取部３で読み取られた通帳類シリアル番号Ｄ１をそのまま、もしくは加工して、固有印刷情報の一部に加え、中間転写印刷部６で印刷する例を説明する。
【００６２】
上側ページＰ１には、通帳類シリアル番号Ｄ１が文字で付与されており、これらは通帳類Ｐが通帳類作成装置１に取り込まれる以前に与えられている。
【００６３】
下側ページＰ２には、上述した中間転写印刷方式により、通帳類所持人のカラー顔画像Ｄ３、及び通帳類所持人やその他のセキュリティ情報Ｄ２が印刷される。また、ＯＣＲ読取部３で読み取られた通帳類シリアル番号Ｄ１がセキュリティ情報Ｄ４として黒文字で印刷される。なお、セキュリティ情報Ｄ２及びセキュリティ情報Ｄ４は何れも固有印刷情報の一部である。さらに、上記顔画像Ｄ３やセキュリティ情報Ｄ２は、ホログラムパターン（斜線部分）を持つ薄膜オーバーコート層で覆われる。
【００６４】
図１に示すように、各機構部間には屈曲した搬送路が設けられている。各機構部を効率的に配置することで、発行機全体の容積を減らすためには、このような屈曲した搬送路が必要となる。ここで、既に述べたように曲げこわさの高い通帳類Ｐをローラ搬送させると、上下の搬送路ガイド板に接触してしまい、通帳類Ｐが詰まってしまう。そのための各種工夫が施されているが、ここでは、本発明の趣旨と異なるため説明を省略する。
【００６５】
＜ＯＣＲ読取部８＞
ＯＣＲ読取部８に搬送された通帳類Ｐは、通帳類シリアル番号Ｄ１と、シリアル番号情報を含む固有印刷情報（例えば所持人のカラー顔画像Ｄ３やセキュリティ情報Ｄ２、Ｄ４）を読み取り文字認識する。
【００６６】
ここで文字認識したデータをもとに、通帳類シリアル番号Ｄ１と固有印刷情報であるセキュリティ情報Ｄ４に含まれているシリアル番号とを照合し、照合結果が合致した場合は正常通帳として、照合結果が合致しない場合は何らかの原因から正常な通帳作成が行われなかった（不良通帳）と判断される。
【００６７】
まず、ＯＣＲ読取部３で読み取った通帳類シリアル番号Ｄ１を、ＯＣＲ読取部８で読み取った当該通帳類シリアル番号Ｄ１、及び固有印刷情報に織り込まれたセキュリティ情報Ｄ４と照合する。その照合結果、不良と判断された場合はすぐさま不良通帳集積部１１Ｂに搬送・集積するのではなく、非接触ＩＣＲ／Ｗ部１０にて、不良通帳であることを通知するためのデータを通帳類Ｐの非接触ＩＣに記録し、不良通帳と判断する。
【００６８】
また、上記の照合結果が正しかった場合の継続動作について説明する。この場合、非接触ＩＣを内蔵した通帳類Ｐに対して、事前に通帳類シリアル番号が記録されていないものと、通帳類シリアル番号が記録されているものとで、動作が異なるので、それぞれの媒体について動作を分けて記述する。
【００６９】
すなわち、ＯＣＲ読取部３及びＯＣＲ読取部８で読み取り認識した結果が同一で、正常な通帳類であっても既に非接触ＩＣにデータが書き込まれている場合と書き込まれていない場合がある。
【００７０】
まず、非接触ＩＣ内蔵通帳類Ｐに対して、事前に通帳類シリアル番号Ｄ１が記録されていない場合についての動作を説明する。この場合は、非接触ＩＣに対して下記（１）〜（３）で示す記録データを生成し、非接触ＩＣＲ／Ｗ部１０に送信し、送信・記録（書き込み）を行う。  
（１）所持人のカラー顔画像データ
（２）所持人のセキュリティ文字データ
（３）通帳類シリアル番号に基づいたデータ
書き込み動作（通信）が終了したら、正常にデータが書き込めたかどうかをベリファイするため、非接触ＩＣＲ／Ｗユニットは記録の終わった通帳から書き込んだデータを読み出し、送信したデータと照合を取る。照合結果が正しかった場合は正常通帳と判断する。照合結果が正しくなかった場合はＯＣＲ読取部８での照合エラーと同様に、非接触ＩＣＲ／Ｗ部１０より、不良通帳である旨を知らせるデータを非接触ＩＣに記録し、不良通帳類と判断する。
【００７１】
続いて、非接触ＩＣ内蔵通帳類に対して、事前に通帳類シリアル番号が記録されている場合についての動作について説明する。
【００７２】
非接触ＩＣに入力するデータとして下記（１）〜（３）を非接触ＩＣＲ／Ｗ部１０に送信する。  
（１）所持人のカラー顔画像データ
（２）所持人のセキュリティ文字データ
（３）通帳類シリアル番号に基づいたデータ
ここで非接触ＩＣＲ／Ｗ部１０は通帳類Ｐの非接触ＩＣから、事前に記録された通帳類シリアル番号Ｄ１に関する情報を読み出し、先に受信したデータとの照合を取る。ここで照合結果が不一致の場合は、不良通帳類と判断する。このデータ照合で不良通帳類と判断された場合は、非接触ＩＣＲ／Ｗ部より不良通帳類である旨を知らせるデータを非接触ＩＣに記録する。
【００７３】
また、照合結果が一致した場合は、送信されてきたデータを追記もしくは上書きして書き込む。
【００７４】
次に、本通帳類作成装置において使用するプラテンローラの形状（主に幅寸法に関する）に関して説明する。
【００７５】
図８は、印刷部のサーマルヘッド６４、インクリボン６１、中間転写リボン７２、及びプラテンローラ６５の側面断面図である。この図を参照しながら中間転写リボン７２の両端からの剥離粉（ゴミ）の発生を防止するプラテンローラ６５の形状の説明を行う。
【００７６】
インクリボン６１はサーマルヘッド６４にこすりながら搬送されるため、サーマルヘッド６４の幅より広いと、サーマルヘッド６４のエッジ部分に引っかかり破断することから、インクリボン６１の幅はサーマルヘッド６４の幅より狭くしてある。
【００７７】
また、サーマルヘッド６４の幅が、インクリボン６１よりも広く、中間転写リボン７２よりも狭い場合、サーマルヘッド６４をプラテンローラ６５に押圧した際に、インクリボン６１が非常に薄いため、プラテンローラ６５が変形することによってサーマルヘッド６４端部が中間転写リボン７２に触れ、傷をつけてしまうことが考えられる。よって、インクリボン６１及び中間転写リボン７２はサーマルヘッド６４の幅より狭いことが必要である。なお、インクリボン６１と中間転写リボン７２との幅はほぼ同じにしてある。
【００７８】
次に、プラテンローラ６５は実際に印刷する印刷幅よりは広いが、サーマルヘッド６４の圧力が中間転写リボン７２にかかる幅は、中間転写リボン７２の幅より狭くなるように切り欠いてある。本通帳類作成装置１においては、プラテンローラ６５のローラ角部に面取り加工を施すことで、これを実現している。これにより、印刷時に中間転写リボン７２の剥がれやすい部分にサーマルヘッド６４の圧力がかかることがないため、ゴミの発生を抑えることができ、結果として印刷不良の発生を抑えることができる。
【００７９】
なお、本実施例では角部に面取り加工を施すことでこれを実現したが、この切り欠き部分を形成するために、単純にローラの幅自体を狭くすることでも足りる。本実施例では角部に圧力が集中することをなるべくさける意味で面取り加工とした。
【００８０】
また、本実施例では中間転写リボン７２を駆動するための駆動ローラ７３がプラテンローラ６５とは別に用意されており、プラテンローラ６５に対して中間転写リボン７２を大きな角度で巻きつける必要がないため、プラテンローラ６５の幅が中間転写リボン７２の幅より狭くても、プラテンローラ６５の角部で中間転写リボン７２が折れるような心配も少なく、より容易にプラテンローラ６５の形状を変更することが可能である。
【図面の簡単な説明】
【００８１】
【図１】本発明の実施例による中間転写リボンを用いて印刷する通帳類作成装置印刷装置部の概略図。
【図２】本発明の実施例で使用される中間転写リボンの構成図。
【図３】図１に示す通帳類作成装置の制御ブロック図。
【図４】図１に示す中間転写印刷部の詳細断面図。
【図５】図４に示す中間転写印刷部の転写部動作説明図。
【図６】図５に示す中間転写印刷部の転写時の状態図。
【図７】本発明の実施例による通帳類作成装置で作成される通帳類の開いた状態の一例を示す図。
【図８】本発明の実施例による中間転写リボンの両端からの剥離粉の発生を防止するプラテンローラ。
【図９】従来例による剥離粉の発生を説明する図。
【符号の説明】
【００８２】
１  通帳類作成装置
２  通帳取込部
３、８  ＯＣＲ読取部
４  ページめくり部
５  直接印刷部
６  中間転写部
６１  インクリボン
６４  サーマルヘッド
６５  プラテンローラ
７２  中間転写リボン
７８  バックアップローラ
７９  ヒートローラ
９  折りたたみ部
１０  非接触ＩＣＲ／Ｗ部
１１  通帳集積部
【図１】
2007076054.tif 000003
【図２】
2007076054.tif 000004
【図３】
2007076054.tif 000005
【図４】
2007076054.tif 000006
【図５】
2007076054.tif 000007
【図６】
2007076054.tif 000008
【図７】
2007076054.tif 000009
【図８】
2007076054.tif 000010
【図９】
2007076054.tif 000011